(57)【要約】【課題】手軽にうさぎの尿などの排泄物の処理を行うことができ、うさぎ用トイレの容器の衛生を維持できるうさぎ用シーツを提供する。【解決手段】うさぎ用シーツ１０，２０，３０は、排泄物を吸収するためのものであって、正方形のシート状に形成された吸収体１と、前記吸収体１よりも寸法大に形成され、前記吸収体１の両面を被覆するシート状の被覆材料２，３，４と、を備え、いずれか一方の対角線上で折畳まれて使用される。【選択図】図１
2015216899.tif 000002
【特許請求の範囲】
【請求項１】
排泄物を吸収するためのうさぎ用シーツであって、
正方形のシート状に形成された吸収体と、
前記吸収体よりも寸法大に形成され、前記吸収体の両面を被覆するシート状の被覆材料と、
を備え、
いずれか一方の対角線上で折畳まれて使用されることを特徴とするうさぎ用シーツ。
【請求項２】
前記被覆材料は、両面ともに液透過性を有する不織布からなることを特徴とする請求項１に記載のうさぎ用シーツ。
【請求項３】
前記被覆材料は、一方の面が液透過性を有する不織布、他方の面が液不透過性シートからなり、
前記液不透過性シート同士が重なり合うように折畳まれることを特徴とする請求項１に記載のうさぎ用シーツ。
【請求項４】
前記被覆材料からなり、前記吸収体の少なくとも１つの直角部を形成する２辺の周縁端外側に設けられる周縁部を備えることを特徴とする請求項１〜３のいずれかに記載のうさぎ用シーツ。
【請求項５】
排泄物を吸収するためのうさぎ用シーツであって、
正方形のシート状に形成された吸収体と、
前記吸収体よりも寸法大に形成され、前記吸収体の両面を被覆するシート状の被覆材料と、
を備え、
いずれか一方の対角線上で折畳まれ、直角三角形に形成されてなることを特徴とするうさぎ用シーツ。
【請求項６】
排泄物を吸収するためのうさぎ用シーツであって、
正方形のシート状に形成された吸収体と、
前記吸収体よりも寸法大に形成され、前記吸収体の両面を被覆するシート状の被覆材料と、
を備え、
いずれか一方の対角線上で折畳まれ、重なった被覆材料同士が接合されてなることを特徴とするうさぎ用シーツ。
【発明の詳細な説明】
【技術分野】
【０００１】
本発明は、うさぎの尿処理のためのうさぎ用シーツに関する。
【背景技術】
【０００２】
従来、犬や猫、うさぎなどの動物の尿等の排泄物を処理するために、ペット用トイレとしての容器内底面にペット用シーツを敷く、或いはトイレ用砂を敷くなどすることが知られている（特許文献１，２）。
【０００３】
うさぎ用のトイレとしては、限られたケージ内のスペースを有効利用するためにケージの角部に配置されるものが一般的であり、上部が開口し、平面視で底面形状が直角三角形状の容器が広く普及している。
【先行技術文献】
【特許文献】
【０００４】
【特許文献１】特許第４９８６６０９号
【特許文献２】特許第２７６６６３２号
【発明の概要】
【発明が解決しようとする課題】
【０００５】
しかしながら、特許文献１のような平面視長方形状のペット用シーツでは、平面視直角三角形の底面を有する容器に敷く場合に、上手く容器の形状に適合せず、容器の壁などに飛散した排泄物が壁を伝ってペット用シーツと容器底面の間に入り込むなどする問題があった。
【０００６】
また、ペット用シーツの吸収力が不足するなどの場合には、吸収しきれなかった排泄物によって容器が汚れてしまい悪臭が発生するという問題があった。
【０００７】
特許文献２のようなトイレ用砂を容器底部に敷けば、ペット用シーツよりも排泄物の吸収は良くなるが、毎回排泄物の掛かった箇所、或いは容器内の全ての砂を取り除いて処理する必要があるため、ペット用シーツと比較すると処理に手間が掛かるという問題があった。
【０００８】
特に、うさぎの尿にはカルシウムが多量に含まれており、尿石となって容器に付着しやすく、付着した尿石を取り除くには非常に手間が掛かるものであるため、より手軽に排泄物の処理を行うことができるものが望まれていた。
【課題を解決するための手段】
【０００９】
本発明は、手軽にうさぎの尿などの排泄物の処理を行うことができ、うさぎ用トイレの容器の衛生を維持できるうさぎ用シーツの提供を目的とする。
【００１０】
即ち、本発明は下記［１］〜［６］に記載の構成を有する。
【００１１】
［１］  排泄物を吸収するためのうさぎ用シーツであって、
正方形のシート状に形成された吸収体と、
前記吸収体よりも寸法大に形成され、前記吸収体の両面を被覆するシート状の被覆材料と、
を備え、
いずれか一方の対角線上で折畳まれて使用されることを特徴とするうさぎ用シーツ。
【００１２】
［２］  前記被覆材料は、両面ともに液透過性を有する不織布からなることを特徴とする前項１に記載のうさぎ用シーツ。
【００１３】
［３］  前記被覆材料は、一方の面が液透過性を有する不織布、他方の面が液不透過性シートからなり、
前記液不透過性シート同士が重なり合うように折畳まれることを特徴とする前項１に記載のうさぎ用シーツ。
【００１４】
［４］  前記被覆材料からなり、前記吸収体の少なくとも１つの直角部を形成する２辺の周縁端外側に設けられる周縁部を備えることを特徴とする前項１〜３のいずれかに記載のうさぎ用シーツ。
【００１５】
［５］  排泄物を吸収するためのうさぎ用シーツであって、
正方形のシート状に形成された吸収体と、
前記吸収体よりも寸法大に形成され、前記吸収体の両面を被覆するシート状の被覆材料と、
を備え、
いずれか一方の対角線上で折畳まれ、直角三角形に形成されてなることを特徴とするうさぎ用シーツ。
【００１６】
［６］  排泄物を吸収するためのうさぎ用シーツであって、
正方形のシート状に形成された吸収体と、
前記吸収体よりも寸法大に形成され、前記吸収体の両面を被覆するシート状の被覆材料と、
を備え、
いずれか一方の対角線上で折畳まれ、重なった被覆材料同士が接合されてなることを特徴とするうさぎ用シーツ。
【発明の効果】
【００１７】
上記［１］に記載の発明によれば、排泄物を吸収するためのうさぎ用シーツであって、正方形のシート状に形成された吸収体と、吸収体よりも寸法大に形成され、吸収体の両面を被覆するシート状の被覆材料と、を備え、いずれか一方の対角線上で折畳まれて使用されるので、吸収体が正方形に製造されることにより、材料に無駄が生じることなく、既存の設備を流用して或いは既存の設備に多少の変更を加えるだけで製造することができる。
【００１８】
うさぎ用シーツがうさぎ用トイレの形状に適合していれば、うさぎ用シーツをうさぎが噛むなどして破壊する虞が低減するので、破壊されたシーツで容器が汚れるなどすることもなく衛生的であり、汚れたシーツの処分も容易にできる。
【００１９】
上記［２］に記載の発明によれば、被覆材料は、両面ともに液透過性を有する不織布からなるので、うさぎ用トイレ内に折畳んで敷かれたうさぎ用シーツに排泄された排泄物は、上側面に配された吸収体で吸収され、うさぎ用シーツの折畳まれた内側の不織布（裏面シート）を経由して下側面に配された吸収体でも吸収できるようになり、より確実に排泄物を吸収することができる。
【００２０】
うさぎ用シーツとうさぎ用トイレの底面との間に排泄物が流れ込んでしまった場合には、下側面に配された吸収体からも排泄物を吸収することができるため、うさぎ用トイレの底面側からも確実に排泄物を吸収することができる。
【００２１】
上記［３］に記載の発明によれば、被覆材料は、一方の面が液透過性を有する不織布、他方の面が液不透過性シートからなり、液不透過性シート同士が重なり合うように折畳まれるので、うさぎ用トイレ内に折畳んで敷かれたうさぎ用シーツの上面側から吸収された排泄物は、折畳まれた内側に配される液不透過性シートによってうさぎ用シーツの下面側の吸収体に到達することがないため、無駄なく排泄物を吸収することができてうさぎ用シーツを効率的に使用することができる。
【００２２】
吸収体の裏面からも排泄物を吸収することができるため、うさぎ用シーツとうさぎ用トイレの底面との間に排泄物が流れ込んでしまった場合であっても、うさぎ用シーツの裏面から確実に排泄物を吸収することができる。
【００２３】
上記［４］に記載の発明によれば、被覆材料からなり、吸収体の少なくとも１つの直角部を形成する２辺の周縁端外側に設けられる周縁部を備えるので、折畳まれた吸収体の寸法がうさぎ用トイレの底面寸法に適合していれば、吸収体の直角部を形成する２辺の周縁端外側に設けられた周縁部を立ち上げて、うさぎ用トイレの壁面に密着或いは接触するように配置させることができ、壁面を伝って流れ落ちる排泄物を吸収体へ誘導して吸収することができるため衛生的であり、排泄物の処理がより手軽にできるようになる。
【００２４】
上記［５］に記載の発明によれば、排泄物を吸収するためのうさぎ用シーツであって、正方形のシート状に形成された吸収体と、吸収体よりも寸法大に形成され、吸収体の両面を被覆するシート状の被覆材料と、を備え、いずれか一方の対角線上で折畳まれ、直角三角形に形成されてなるので、吸収体が正方形に製造されることにより、材料に無駄が生じることなく、既存の設備を流用して或いは既存の設備に多少の変更を加えるだけで製造することができる。
【００２５】
うさぎ用シーツがうさぎ用トイレの形状に適合していれば、うさぎ用シーツをうさぎが噛むなどして破壊する虞が低減するので、破壊されたシーツで容器が汚れるなどすることもなく衛生的であり、汚れたシーツの処分も容易にできる。
【００２６】
上記［６］に記載の発明によれば、排泄物を吸収するためのうさぎ用シーツであって、正方形のシート状に形成された吸収体と、吸収体よりも寸法大に形成され、吸収体の両面を被覆するシート状の被覆材料と、を備え、いずれか一方の対角線上で折畳まれ、重なった被覆材料同士が接合されてなるので、折畳まれて重なった被覆材料同士が接合されて、予め直角三角形に形成されているため、折畳むなどする手間が省けて、底面形状が直角三角形のうさぎ用トイレにも敷き易い。
【００２７】
吸収体が正方形に製造されることにより、材料に無駄が生じることなく、既存の設備を流用して或いは既存の設備に多少の変更を加えるだけで製造することができる。
【００２８】
うさぎ用シーツがうさぎ用トイレの形状に適合していれば、うさぎ用シーツをうさぎが噛むなどして破壊する虞が低減するので、破壊されたシーツで容器が汚れるなどすることもなく衛生的であり、汚れたシーツの処分も容易にできる。
【図面の簡単な説明】
【００２９】
【図１】本発明の第１実施形態に係るうさぎ用シーツの正面図及びＡ１−Ａ１断面図である。
【図２】うさぎ用トイレ及び本発明に係るうさぎ用シーツの使用方法について説明するための説明図である。
【図３】うさぎ用トイレ及び本発明に係るうさぎ用シーツの使用方法について説明するための説明図である。
【図４】本発明のうさぎ用シーツのＢ−Ｂ断面図である。
【図５】本発明の第２実施形態に係るうさぎ用シーツの正面図及びＡ２−Ａ２断面図である。
【図６】本発明の第３実施形態に係るうさぎ用シーツの正面図及びＡ３−Ａ３断面図である。
【発明を実施するための形態】
【００３０】
以下、図面を参照して、本発明の実施形態について説明する。
【００３１】
図１は、第１実施形態に係るうさぎ用シーツ１０の正面図及び断面図、図２，３は、うさぎ用トイレ５０及びうさぎ用シーツ１０の使用方法について説明するための説明図、図４は、うさぎ用シーツ１０の断面図、図５は、第２実施形態に係るうさぎ用シーツ２０の正面図及び断面図、図６は、第３実施形態に係るうさぎ用シーツ３０の正面図及び断面図である。
【００３２】
図１〜６に示す本発明のうさぎ用シーツ１０，２０，３０は、うさぎの尿などの液状の排泄物を吸収するためのものであり、主にディスポーザブル品として使用されるものである。
【００３３】
うさぎ用シーツ１０，２０，３０は、吸水性を有する吸収体１（クロスハッチングで示した部位）と、吸収体１の両面を被覆するシート状の被覆材料２と、被覆材料２の一部であり、吸収体１の周縁端外側に設けられる周縁部２３と、を備えて構成され、うさぎ用トイレ５０の底面に敷いて用いられるものである。
【００３４】
図２に示すように、うさぎ用トイレ５０は、底面形状が三角形で上部が開口した容器と、開口部を塞ぐように安定的に載置される網状の網体５１と、を備えるものである。
【００３５】
うさぎ用トイレ５０は、主に平面視長方形状のケージの角部に配置される。
【００３６】
ケージの角部にスペースの無駄なく載置することができるため、うさぎ用トイレ５０は、直角三角形状に形成されている。
【００３７】
うさぎ用トイレ５０は、開口部に載置された網体５１上でうさぎが排泄することにより、容器の底面に敷いたうさぎ用シーツ１０上に排泄物がかかるように構成されている。
【００３８】
以下では、図１〜４に基づいて第１実施形態に係るうさぎ用シーツ１０について説明する。
【００３９】
うさぎ用シーツ１０に備えられた吸収体１は、吸水性を有し、正方形或いは略正方形のシート状に形成されている。
【００４０】
例えば、本実施形態では、吸収体１が、正方形に形成されている。
【００４１】
これにより、吸収体１が正方形に製造されることにより、材料に無駄が生じることなく、既存の設備を流用して或いは既存の設備に多少の変更を加えるだけで製造することができる。
【００４２】
吸収体１は、対角線上で折畳んだ状態で、うさぎ用トイレ５０の底面寸法と略同等程度の寸法となるように形成されている。
【００４３】
図４に示すように、吸収体１は、吸水性紙よりなる吸水性紙層１１（以降、「下部吸水性紙層１１」と記す。）上にパルプ層１２及び吸水層１３が順に積層され、更に吸水性紙層１４（以降、「上部吸水性紙層１４」と記す。）が積層されて形成されている。
【００４４】
下部吸水性紙層１１及び上部吸水性紙層１４には、例えば、脱脂綿、トイレットペーパー、ティッシュペーパーなどの高吸水性繊維などが用いられる。
【００４５】
下部吸水性紙層１１及び上部吸水性紙層１４には、異なる材料が用いられるのであってもよいが、以下では同一材料が用いられるものとして説明する。
【００４６】
パルプ層１２には、パルプ繊維或いはパルプ粉砕物などのパルプ材料が用いられる。
【００４７】
吸水層１３は、排泄物を吸水、保持する層であり、吸水性ポリマー、即ち高吸水性樹脂などが用いられ、例えば、ポリアクリル酸の架橋物、澱粉またはセルロースとアクリル酸のグラフト重合体、ビニルアルコールとアクリル酸の共重合体、カルボキシメチルセルロースの架橋物、ポリビニルアルコールの架橋物などが挙げられ、このような吸水性樹脂のうち少なくとも１種以上が好適に用いられる。
【００４８】
このようにうさぎ用シーツ１０がうさぎ用トイレ５０の底面に敷いた際、うさぎが噛んだりしないように、うさぎ用シーツ１０上に載置した網体５１の高さ以下に収まるようにうさぎ用シーツ１０の寸法が設定されることが好ましい。
【００４９】
吸収体１は、その両面がシート状に形成された被覆材料２により被覆されている。
【００５０】
被覆材料２は、うさぎ用シーツ１０の表面に配される表面シート２１と、裏面に配される裏面シート２２で構成される。
【００５１】
表面シート２１及び裏面シート２２は、例えば、それぞれ液透過性を有する不織布からなり、不織布としては、スパンボンド不織布、スパンボンド−メルトブローン−スパンボンド（ＳＭＳ）不織布などの各種不織布を親水化処理したものなどが好適に用いられる。
【００５２】
表面シート２１及び裏面シート２２は、吸収体１よりも寸法大に形成され、吸収体１の両面に１枚ずつ張り合わされている。
【００５３】
表面シート２１及び裏面シート２２は、接着剤などにより吸収体１の表裏面に接着され、吸収体１の周縁端の外側に延びる端部同士が貼り合わされて、吸収体１の周縁端外側に設けられる周縁部２３を形成している。
【００５４】
周縁部２３は、吸収体１の周縁端の全周に渡って一定の幅寸法で設けられている。
【００５５】
周縁部２３の幅寸法は、吸水して膨張した吸水性ポリマーによる周縁部２３の接着剥離などを防止して、吸水性ポリマーなどの外部への飛び出しが生じないように、目標飽和吸水量や吸水性ポリマーの種類などに応じて適宜設定される。
【００５６】
上述したように被覆材料２は、吸収体１の両面ともに液透過性を有する不織布からなるので、うさぎ用トイレ５０内に折畳んで敷かれたうさぎ用シーツ１０に排泄された排泄物は、上側面に配された吸収体１で吸収され、うさぎ用シーツ１０の折畳まれた内側の不織布（裏面シート２２）を経由して下側面に配された吸収体１でも吸収できるようになり、より確実に排泄物を吸収することができる。
【００５７】
うさぎ用シーツ１０とうさぎ用トイレ５０の底面との間に排泄物が流れ込んでしまった場合には、下側面に配された吸収体１からも排泄物を吸収することができるため、うさぎ用トイレ５０の底面側からも確実に排泄物を吸収することができる。
【００５８】
うさぎ用シーツ１０は、図１（ａ）の一点鎖線で示す対角線上で折畳まれて直角三角形状になされ、うさぎ用トイレ５０の底面に敷かれて使用される。
【００５９】
以下では、うさぎ用シーツ１０の製造方法の一例について簡単に説明する。
【００６０】
まず、下部吸水性紙が正方形状に成形され、下部吸水性紙上にパルプ材料が供給されて、下部吸水性紙層１１上にパルプ層１２が積層される。
【００６１】
続いて、パルプ層１２は、パルプ層１２上に第１吸水性ポリマーが供給され、吸水層１３が形成される。
【００６２】
続いて、上部吸水性紙が下部吸水性紙層１１と同寸法で形成され、吸水層１３及び吸水強化部５上に上部吸水性紙層１４が積層される。
【００６３】
この時、吸収体１は、下部吸水性紙層１１、パルプ層１２、吸水層１３及び上部吸水性紙層１４が積層された状態となる。
【００６４】
その後、吸収体１は、プレスされるなどして押し固められ、吸収体１の寸法より若干大きい寸法に成形された不織布からなる被覆材料２によって両面が挟み込まれるようにして重ね合わせられ、吸収体１の外面に被覆材料２が接着される。
【００６５】
例えば、被覆材料２は、吸収体１と重ね合わせられる側の面に、ホットメルト接着剤が塗布され、吸収体１を挟み込んだ上下の被覆材料２がそれぞれ吸収体１の表面に貼り合わされて、吸収体１及び被覆材料２が一体化した状態に形成される。
【００６６】
一体化した吸収体１及び被覆材料２は、プレスされるなどしてより強固に接着されて、吸収体１と周縁部２３を備えたうさぎ用シーツ１０となる。
【００６７】
尚、うさぎ用シーツ１０は、手作業によって製造されるのであってもよいし、工場などの製造ラインで製造されるのであってもよい。
【００６８】
このようにして得られたうさぎ用シーツ１０は、使用しやすいように対角線上で折り目が付けられ、小さく折畳まれるなどして梱包された後出荷される。
【００６９】
上述では、被覆材料２の表面シート２１及び裏面シート２２が、同一材料を用いるものとしたが、表面シート２１と裏面シート２２で異なる材料が用いられるのであってもよい。
【００７０】
例えば図５（ａ）〜（ｃ）に示すように、第２実施形態におけるうさぎ用シーツ２０は、吸収体１（クロスハッチングで示した部位）と、被覆材料３と、周縁部３３と、を備える点においては先の実施形態と同様であるが、被覆材料３が液透過性を有する不織布からなる表面シート３１、及び液不透過性シートからなる裏面シート３２で構成されている。
【００７１】
裏面シート３２の液不透過性シートとしては、例えば、有機合成樹脂フィルム、有機合成樹脂シートを用いることができ、具体的には、ポリエチレン（ＰＥ）フィルム、ポリプロピレン（ＰＰ）フィルム、不飽和ポリエステルフィルム、ポリエチレンテレフタレート（ＰＥＴ）フィルム等を用いることができる。
【００７２】
尚、液不透過性シートに用いられる材料は、これらの有機合成樹脂フィルムや有機合成樹脂シートに限定されるものではなく、撥水処理を施した不織布、撥水処理を施した紙等が用いられるのであってもよい。
【００７３】
吸収体１は、液透過性の不織布及び液不透過性シートで被覆されることにより、表面シート３１を透過した排泄物を吸収するが、排泄物は裏面シート３２を透過しないので裏面シート３２側から吸収体１へ吸収されることはない。
【００７４】
うさぎ用シーツ２０は、裏面シート３２が内側となるように、図５（ａ）の一点鎖線で示した対角線上で折畳まれて使用され、網体５１上で排泄された排泄物、或いはうさぎ用トイレ５０の壁面５０ａ，５０ｂなどに飛散し、壁を伝うなどしてうさぎ用トイレ５０の底面とうさぎ用シーツ２０との間に入り込んだ排泄物が、表面シート３１を通過して吸収体１で吸収される。
【００７５】
しかしながら、液不透過性の裏面シート３２は、折畳まれたうさぎ用シーツ２０の中間層で向き合うように位置され、何れか一方の表面シート３１から吸収体１に吸収された排泄物は、折畳んで重ねられた裏面シート３２を透過しないので他方の表面シート３１側の吸収体１へと吸収されることがない。
【００７６】
このように、被覆材料３が、一方の面（表面シート３１）が液透過性を有する不織布、他方の面（裏面シート３２）が液不透過性シートからなり、液不透過性シート同士が重なり合うように折畳まれるので、うさぎ用トイレ５０内に折畳んで敷かれたうさぎ用シーツ２０の上面側から吸収された排泄物は、折畳まれた内側に配される液不透過性シートによってうさぎ用シーツ２０の下面側の吸収体１に到達することがないため、無駄なく排泄物を吸収することができてうさぎ用シーツ２０を効率的に使用することができる。
【００７７】
吸収体１の裏面からも排泄物を吸収することができるため、うさぎ用シーツ２０とうさぎ用トイレ５０の底面との間に排泄物が流れ込んでしまった場合であっても、うさぎ用シーツ２０の裏面から確実に排泄物を吸収することができる。
【００７８】
上述した構成に加えて、吸収体１は、少なくとも一部に他の部位よりもより吸水性が高められた部位を有するように構成されるのであってもよい。
【００７９】
第３実施形態では、例えば、吸収体１（クロスハッチングで示した部位）と、被覆材料４と、周縁部４３と、を備え、うさぎが所定の位置で排泄するという特性を利用して、うさぎが排泄する頻度の最も高い位置に吸水強化部５が設けられる。
【００８０】
より吸水性の高められた吸水強化部５が、うさぎが排泄する頻度の高いうさぎ用トイレ５０の角部に位置するように設けられることで、排泄物をより確実に吸収させることができる。
【００８１】
図６（ａ）〜（ｃ）に示すように、吸水強化部５は、うさぎ用シーツ３０の対角線上に帯状に形成されて設けられており、吸収体１上に積層されて被覆材料４により被覆されている。
【００８２】
うさぎ用シーツ３０は、使用時に図６（ａ）の一点鎖線で示した対角線上で折畳まれて直角三角形状になされ、うさぎ用トイレ５０の底面に敷かれた際に、うさぎ用トイレ５０の直角部にうさぎ用シーツ３０の吸水強化部５が配置されるようになっている。
【００８３】
吸水強化部５は、吸収体１のその他の吸水層１３よりも高い吸水性を有するために、その他の吸水層１３よりも吸水性ポリマーの量が多い、或いはその他の吸水層１３よりも高吸水性の材料を用いるなどされて構成される。
【００８４】
吸水強化部５で用いられる吸水性ポリマーは、吸水層１３と同様、例えば、ポリアクリル酸の架橋物、澱粉またはセルロースとアクリル酸のグラフト重合体、ビニルアルコールとアクリル酸の共重合体、カルボキシメチルセルロースの架橋物、ポリビニルアルコールの架橋物などが挙げられ、このような吸水性樹脂のうち少なくとも１種以上が好適に用いられる。
【００８５】
当該吸水性ポリマーには、吸水層１３と同一の吸水性ポリマーが用いられるのであってもよいし、より吸水性能の高い吸水性ポリマーが用いられるのであってもよい。
【００８６】
吸水強化部５は、吸水性ポリマーが下部吸水性紙層１１に積層された吸水層１３上の一部のみに供給されて形成される。
【００８７】
吸水層１３及び吸水強化部５上に、下部吸水性紙層１１と同寸法に形成された上部吸水性紙層１４が積層されることによって吸収体１が形成され、吸収体１が被覆材料４で両面を被覆されることによってうさぎ用シーツ３０が形成される。
【００８８】
被覆材料４は、第１実施形態と同様に液透過性の不織布が両面に用いられるのであってもよいし、第２実施形態と同様、表面シート４１に不織布、裏面シート４２に液不透過性シートが用いられるのであってもよく、その素材について特に限定されるものではない。
【００８９】
上述したうさぎ用シーツ１０，２０，３０は、折畳まれて使用されるものとして説明したが、正方形に成形されたうさぎ用シーツ１０，２０，３０が、折畳まれて直角三角形に形成されたものとして流通されるのであってもよい。
【００９０】
この際、直角部を含まない対角線上で折畳まれて重ねられた周縁部２３，３３，４３が接合されているのであってもよく、このように構成されることによって、うさぎ用シーツ１０，２０，３０を折畳むなどする手間が省けて、底面形状が直角三角形のうさぎ用トイレ５０にも敷き易い。
【００９１】
尚、重ねられた周縁部２３，３３，４３同士の接合には、エポキシ樹脂接着剤などの樹脂接合剤やホットメルト接着剤などの加熱硬化接着剤が用いられて接着されるのであってもよいし、天然接着剤或いは合成接着剤の何れが用いられるのであってもよい。
【００９２】
また、接着される以外にも、溶着、縫着或いは粘着などされることによって周縁部２３，３３，４３同士が接合されるのであってもよい。
【００９３】
更に、周縁部２３，３３，４３同士の接合は、全周が接合されるのであってもよいし、周縁部２３，３３，４３の一部のみが接合されるのであってもよく、加えて、重なった被覆材料２，３，４同士の全面或いは一部のみが接合されるのであってもよく、接合部位について特に限定されるものではない。
【００９４】
上述した周縁部２３，３３，４３は、吸収体１の全周縁端部に設けられるよう図示しているが、この構成に限定されるものではない。
【００９５】
例えば、周縁部２３，３３，４３は、少なくともうさぎ用トイレ５０の直角部を形成する２つの壁面５０ａ，５０ｂに接触して立ち上がるように、吸収体１の少なくとも１つの直角部を形成する２辺の周縁端外側に設けられるのであってもよい。
【００９６】
うさぎ用シーツ１０，２０，３０は、被覆材料２からなり、吸収体１の少なくとも１つの直角部を形成する２辺の周縁端外側に設けられる周縁部２３を備えるので、折畳まれた吸収体１の寸法がうさぎ用トイレ５０の底面寸法に適合していれば、吸収体１の直角部を形成する２辺の周縁端外側に設けられた周縁部を立ち上げて、うさぎ用トイレ５０の壁面に密着或いは接触するように配置させることができ、壁面を伝って流れ落ちる排泄物を吸収体１へ誘導して吸収することができるため衛生的であり、排泄物の処理がより手軽にできるようになる。
【００９７】
このように周縁部２３，３３，４３が設けられた場合には、うさぎ用シーツ１０，２０，３０は、直角部を含まない対角線上で折畳まれて用いられることが最も好適であるが、直角部を含む対角線上で折畳まれて用いられるのであってもよい。
【００９８】
また、周縁部２３，３３，４３を一切備えずに、吸収体１の両面を被覆材料２，３，４で被覆しただけの構成であってもよい。
【００９９】
上述では、吸収体１は、いずれか一方の対角線上で折畳んだ状態で、うさぎ用トイレ５０の底面寸法と略同等程度の寸法となるように形成されることが好ましいが、これに限定されるものではなく、うさぎ用トイレ５０の底面寸法よりも大きい寸法に形成されるのであってもよいし、周縁部２３，３３，４３を含むうさぎ用シーツ１０，２０，３０が、対角線上で折畳んだ状態でうさぎ用トイレ５０の底面寸法と略同等程度の寸法となるように形成されるのであってもよい。
【０１００】
上述したうさぎ用シーツ１０，２０，３０の被覆材料２，３，４は、少なくとも一方の面が液透過性の不織布で形成されたものとして説明したが、不織布が用いられることは必須の構成ではない。
【０１０１】
吸収体１の被覆材料２，３，４の少なくとも一方の面は、安価であることなどから不織布が用いられることが好ましいが、例えば、織布や紙などが用いられるのであってもよいし、少なくとも液透過性の材料が用いられるのであればよく、不織布以外の材料を用いたその他の構成を排除するものではない。
【０１０２】
上述した吸水層１３は、吸水性ポリマーに限定されるものではなく、吸水性シートや複数層に積層された吸水性紙が用いられるのであってもよく、吸水性ポリマー以外の材料が用いられることによって排泄物が吸水、保持されるのであってもよい。
【０１０３】
また、吸水強化部５に関しても同様に、吸水性ポリマー以外の材料が用いられるのであってもよく、吸収体１のその他の吸水層１３よりも高い吸水性を有する構成であればよい。
【０１０４】
また、うさぎ用シーツ１０，２０，３０の表面に、或いは吸収体１の表面にエンボス加工が施されるのであってもよい。
【０１０５】
うさぎの場合には、所定の位置で排泄するという特性があるため、吸収した液体が排泄した個所からなるべく吸収体１の全体に広がるように、細かい目のエンボス加工がなされることが好ましいが、これに限定されるものではない。
【０１０６】
上述した吸収体１は、除菌抗菌剤や消臭剤などの添加物が添加されて構成されるのであってもよい。
【０１０７】
以上説明したように、上述したうさぎ用シーツ１０，２０，３０は、正方形のシート状に形成された吸収体１と、吸収体１よりも寸法大に形成され、吸収体１の両面を被覆するシート状の被覆材料２，３，４と、を備え、いずれか一方の対角線上で折畳まれて使用されるので、吸収体１が正方形に製造されることにより、材料に無駄が生じることなく、既存の設備を流用して或いは既存の設備に多少の変更を加えるだけで製造することができる。
【０１０８】
うさぎ用シーツ１０，２０，３０がうさぎ用トイレ５０の形状に適合していれば、うさぎ用シーツ１０，２０，３０をうさぎが噛むなどして破壊する虞が低減するので、破壊されたシーツで容器が汚れるなどすることもなく衛生的であり、汚れたシーツの処分も容易にできる。
【０１０９】
以上説明した実施形態は、本発明の一例に過ぎず、本発明の作用効果を奏する範囲において具体的構成などを適宜変更設計できることは言うまでもない。
【産業上の利用可能性】
【０１１０】
本発明は、ペット、中でも特にうさぎの尿等の液状排泄物を吸収するために好適に用いられる。
【符号の説明】
【０１１１】
１…吸収体
２，３，４…被覆材料
１０，２０，３０…うさぎ用シーツ
２３，３３，４３…周縁部
５０…うさぎ用トイレ
【図１】
2015216899.tif 000003
【図２】
2015216899.tif 000004
【図３】
2015216899.tif 000005
【図４】
2015216899.tif 000006
【図６】
2015216899.tif 000007
【図５】
2015216899.tif 000008